(57)【要約】【課題】  コストの増大を招くことなく簡便にプリンターの印刷制御の変更設定を行う技術を提供する。【解決手段】  印刷動作に関連する設定項目を、当該設定項目において取り得る設定値の候補と、該設定値の候補から選択される選択値とともに記憶しておく。そして、印刷ヘッド１７を制御して、設定項目および設定値の候補を記録媒体Ｐに対してキャリッジ１８の移動方向に配列して印字し、かつキャリッジ１８の指示部１８ａを、印字した設定値の候補のうち選択値に対応する位置に移動させて選択値を指示する。【選択図】  図４
2014061644.tif 000002
【特許請求の範囲】
【請求項１】
記録媒体の搬送路と交差する所定方向に移動可能に設けられたキャリッジと、
前記キャリッジに搭載され前記記録媒体に印字を行う印刷ヘッドと、
前記キャリッジおよび前記印刷ヘッドの動作を制御する制御部と、
印刷動作に関連する設定項目が、当該設定項目において取り得る設定値の候補と、当該
設定値の候補から選択される選択値とともに記憶される記憶部とを備え、
前記制御部は、前記印刷ヘッドを制御して、前記設定項目および前記設定値の候補を前
記記録媒体に対して前記キャリッジの移動方向に配列して印字し、かつ前記キャリッジを
、印字した前記設定値の候補のうち前記選択値に対応する位置に移動することを特徴とす
るプリンター。
【請求項２】
前記キャリッジには、前記選択値を指し示すための指示部が設けられていることを特徴
とする請求項１記載のプリンター。
【請求項３】
入力を受付け、出力信号を前記制御部に出力する入力部をさらに備え、
前記制御部は、前記入力部の前記出力信号に応じて、前記キャリッジを、前記記録媒体
に印字された前記設定値の候補のうちいずれか一つに対応する所定位置に移動するととも
に、当該所定位置に対応する前記設定値を前記記憶部に記憶することを特徴とする請求項
１または２記載のプリンター。
【請求項４】
前記記憶部には、複数の前記設定項目が記憶され、
前記制御部は、前記入力部の出力信号に応じて、前記記録媒体に前記複数の設定項目と
各設定項目に対応する前記設定値の候補を順次印刷することを特徴とする請求項３記載の
プリンター。
【請求項５】
前記設定項目と前記設定値の候補は、前記記録媒体の同一行内に印字されることを特徴
とする請求項１から４のいずれか一項に記載のプリンター。
【請求項６】
記録媒体に対し、印刷動作に関連する設定項目の名称と、当該設定項目に対する複数の
設定候補値とを前記記録媒体の幅方向に順次印字し、
前記記録媒体の幅方向に移動可能な指示部を、印字された前記複数の設定候補値のうち
のいずれか一つに対応する位置に移動させて、前記複数の設定候補値の中で実際に設定さ
れている値を指示する、プリンターの制御方法。
【請求項７】
記録媒体に対し、印刷動作に関連する設定項目の名称と、当該設定項目に対する複数の
設定候補値とを前記記録媒体の幅方向に順次印字し、
入力操作に基づいて、前記記録媒体の幅方向に移動可能な指示部を、印字された前記複
数の設定候補値のうちのいずれか一つに対応する位置に移動させ、
移動された前記指示部に対応する位置に印字された値を前記設定項目に対する設定値と
して記憶することを特徴とするプリンターの制御方法。
【請求項８】
前記指示部として、前記プリンターの印刷ヘッドを搭載したキャリッジの一部が使用さ
れることを特徴とする請求項７記載のプリンターの制御方法。
【発明の詳細な説明】
【技術分野】
【０００１】
本発明は、印刷制御設定が変更可能なプリンターおよび制御方法に関する。
【背景技術】
【０００２】
周知のように、プリンターにおいて、ユーザーが印刷制御設定を変更した場合に設定内
容を確認できるように、変更した設定内容を逐次印刷する機能を提供したり、液晶パネル
に文字列で設定内容を表示させたり、あるいはＬＥＤの点滅パターンにより設定内容をユ
ーザーに通知することが行われている。また、特許文献１では、特定の書式に定められた
設定用紙を用いて設定項目を記述し、それをプリンターに設けたフォトセンサーにより読
み取ることにより、ユーザーに印刷制御の設定を行わせることが提案されている。
【先行技術文献】
【特許文献】
【０００３】
【特許文献１】特開平２−２８３４８１号公報
【発明の概要】
【発明が解決しようとする課題】
【０００４】
しかしながら、プリンターに液晶パネル等の表示装置を設けた場合には、部品コスト、
製造コストが増大してしまう。また、ＬＥＤの点滅パターンを採用する場合には、各点滅
パターンと変更設定内容との関係をユーザーに対して説明することが必要となる。このた
め、説明文の印刷などが必要となり、余計な手間とコストが必要となってしまう。
【０００５】
一方、変更した設定内容を逐次印刷するようにした場合には、設定操作を行うごとに用
紙やインクが無駄となってしまう。特に、設定ボタンを設置する領域が限られているプリ
ンターでは、所望の設定値に到達するまで設定ボタンを押し続けて印刷制御の変更設定を
行う必要がある。この場合、設定ボタンを押すたびに変更した設定内容を逐次印刷したの
では、用紙やインクの無駄が一層顕著なものとなってしまう。
【０００６】
また、特許文献１のように、特定の書式に定められた設定用紙を用いてユーザーに設定
項目を記述させることは、ユーザーの手間を増大させ、利便性を損なう懸念がある。
【０００７】
本発明は、このような事情に鑑みてなされたものであり、コストの増大を招くことなく
簡便にプリンターの印刷制御の変更設定を行う技術を提供することを課題とする。
【課題を解決するための手段】
【０００８】
上記課題の少なくとも一部を解決するために、本発明は、以下のような態様として実現
することができる。
【０００９】
本発明の一態様のプリンターは、記録媒体の搬送路と交差する所定方向に移動可能に設
けられたキャリッジと、
前記キャリッジに搭載され前記記録媒体に印字を行う印刷ヘッドと、
前記キャリッジおよび前記印刷ヘッドの動作を制御する制御部と、
印刷動作に関連する設定項目が、当該設定項目において取り得る設定値の候補と、当該
設定値の候補から選択される選択値とともに記憶される記憶部とを備え、
前記制御部は、前記印刷ヘッドを制御して、前記設定項目および前記設定値の候補を前
記記録媒体に対して前記キャリッジの移動方向に配列して印字し、かつ前記キャリッジを
印字した前記設定値の候補のうち前記選択値に対応する位置に移動することを特徴とする
。
【００１０】
このような構成とされるために、ユーザーは、印刷動作に関する設定項目に対する設定
値の候補の中から、実際に設定されている値をキャリッジの位置を確認して容易に知るこ
とができる。この場合、設定値の候補がキャリッジの移動方向、つまり記録媒体の搬送方
向と交差する幅方向に配列されて印字されることから、用紙の無駄が最小限に抑えられる
。
【００１１】
この場合、キャリッジには、前記選択値を指し示すための指示部を設けるようにしても
よい。
【００１２】
本発明のさらに他の態様のプリンターは、入力を受付け、出力信号を前記制御部に出力
する入力部をさらに備え、
前記制御部は、前記入力部の出力信号に応じて、前記キャリッジを、前記記録媒体に印
字された前記設定値の候補のうちいずれか一つに対応する所定位置に移動するとともに、
当該所定位置に対応する前記設定値を前記記憶部に記憶することを特徴とする。
【００１３】
このような構成により、ユーザーが、入力部における操作を通じて、印字された設定値
の候補を確認しながらキャリッジを移動させるとともに、移動位置に対応する設定値の候
補を設定値として記憶させることができる。
【００１４】
本発明のさらに他の態様では、前記記憶部には、複数の前記設定項目が記憶され、
前記制御部は、前記入力部の出力信号に応じて、前記記録媒体に前記複数の設定項目と
各設定項目に対応する前記設定値の候補を順次印刷することを特徴とする。
【００１５】
このような構成により、複数の設定項目について設定値の確認や記憶を行うことが可能
となる。
【００１６】
本発明のさらに他の態様では、前記設定項目と前記設定値の候補は、前記記録媒体の同
一行内に印字されることを特徴とする。
【００１７】
このような構成により、用紙の無駄を最小限とすることができる。
【００１８】
本発明のさらに他の態様のプリンターの制御方法では、記録媒体に対し、印刷動作に関
連する設定項目の名称と、当該設定項目に対する複数の設定候補値とを前記記録媒体の幅
方向に順次印字し、
前記記録媒体の幅方向に移動可能な指示部を、印字された前記複数の設定候補値のうち
のいずれか一つに対応する位置に移動させて、前記複数の設定候補値の中で実際に設定さ
れている値を指示することを特徴とする。
【００１９】
このような構成により、設定項目に対応する設定値を印刷して表示するにあたって、記
録媒体（用紙）の利用を最小限とすることができる。
【００２０】
本発明のさらに他の態様のプリンターの制御方法では、記録媒体に対し、印刷動作に関
連する設定項目の名称と、当該設定項目に対する複数の設定候補値とを前記記録媒体の幅
方向に順次印字し、
入力操作に基づいて、前記記録媒体の幅方向に移動可能な指示部を、印字された前記複
数の設定候補値のうちのいずれか一つに対応する位置に移動させ、
移動された前記指示部に対応する位置に印字された値を前記設定項目に対する設定値と
して記憶することを特徴とする。
【００２１】
このような構成により、設定項目に対応する設定値をユーザーに選択させて記憶するに
あたって、記録媒体（用紙）の利用を最小限とすることができる。
【００２２】
本発明のさらに他の態様では、前記指示部として、前記プリンターの印刷ヘッドを搭載
したキャリッジの一部が用いられることを特徴とする。
【００２３】
このような構成により、容易に指示部を形成することができる。
【図面の簡単な説明】
【００２４】
【図１】本発明の一実施の形態に係るプリンターの外観斜視図である。
【図２】図１に示したプリンターの操作パネルの拡大平面図である。
【図３】図１に示したプリンターの要部の構成を示す概略断面図である。
【図４】図１に示したプリンターの窓部の外観正面図である。
【図５】図１に示したプリンターの制御系を示す概略ブロック図である。
【図６】図５に示したプリンターの記憶部に記憶されたデータテーブルの一例を示す図である。
【図７】図５に示したプリンターの記憶部に記憶された他のデータテーブルの一例を示す図である。
【図８】本発明のプリンターにおける印刷設定項目の設定動作を示すフローチャートである。
【図９】図７に示した設定動作におけるキャリッジの動作と印字動作を模式的に示す正面図である。
【図１０】図７に示した設定動作におけるキャリッジの動作と印字動作の他の例を模式的に示す正面図である。
【発明を実施するための形態】
【００２５】
以下、本発明の実施の形態を、添付図面を参照して説明する。
図１は、本発明の一実施の形態であるプリンター１の外観斜視図である。図中に示すよ
うに、プリンター１は、全体として直方体形状に形成されたプリンター本体２と、プリン
ター本体２から斜め上後方に突出するように設けられた用紙ガイド３とを備えている。プ
リンター本体２の前面には開口部４が設けられており、開口部４は開閉可能なカバー５に
より塞がれている。カバー５の上方には、ユーザーがプリンター１の印刷動作の設定操作
を行うための操作パネル７が設けられている。
【００２６】
図２は操作パネル７を拡大して示す図である。図中に示すように、操作パネル７にはＬ
ＥＤランプを有する表示部８（８ａ，８ｂ，８ｃ，８ｄ，８ｅ）と、４つのスイッチ９ａ
、９ｂ、９ｃ、９ｄとが設けられている。
【００２７】
図３は、プリンター１を前後方向と平行な断面からみた際の内部の要部構成図である。
図中に示すように、プリンター本体２の上面において用紙ガイド３の前側に隣接する位置
には、プリンター１の幅方向に延びる排紙口１０が設けられている。
またプリンター本体２の内部には、印刷位置Ａを規定しているプラテンローラー１５と
、プラテンローラー１５を回転駆動する駆動モーター１６と、印刷ヘッド１７とが配置さ
れている。
【００２８】
印刷ヘッド１７は、キャリッジ１８に搭載された状態で、プラテンローラー１５と対向
する位置に配置されている。印刷ヘッド１７はインクリボンに記録ワイヤーを打ち当てて
インクリボンのインクを記録媒体に付着させることにより印字を行うシリアル・インパク
ト・ドット・マトリクス・プリントヘッドである。キャリッジ１８は、プリンター１の幅
方向に延びるキャリッジガイド１９によって支持されており、キャリッジ駆動機構２０に
より駆動されて、キャリッジガイド１９に沿って移動可能とされている。
【００２９】
プリンター本体２の内部には、用紙ガイド３から印刷位置Ａを経由して排紙口１０に至
る第１搬送路２１、開口部４から印刷位置Ａを経由して排紙口１０に至る第２搬送路２２
、プリンター１の後方から印刷位置Ａを経由して排紙口１０に至る第３搬送路２３が設け
られている。これらの搬送経路は、記録媒体が単票紙であるか連続用紙であるか等、記録
媒体の種類に応じて適宜選択される。
【００３０】
いずれの搬送経路が利用された場合も、記録媒体は搬送経路に沿って順次送り出される
とともに、印刷位置Ａを経由したときに、搬送経路と交差するように設けられたキャリッ
ジガイド１９に沿って移動するキャリッジ１８に搭載された印刷ヘッド１７により印字動
作が実行される。
【００３１】
なお、図１、３に示すように、プリンター本体２の上面の一部には、透明な樹脂等によ
って形成された窓部２５が設けられている。窓部２５は、プリンター１の外部から印刷位
置Ａを目視可能とするような位置に設けられており、これにより窓部２５からは、図４に
示すように、キャリッジ１８の位置と、記録媒体Ｐのうち印刷ヘッド１７により印字が施
された部分Ｐａとを目視により確認することができる。なお、図４に示すようにキャリッ
ジ１８には、記録媒体Ｐにおける印字行のうちの一部を指示できるような指示部１８ａが
設けられている。
【００３２】
図５は、プリンター１の制御系の概略ブロック図である。図中に示すように、プリンタ
ー１は制御部２７を備えており、制御部２７には、不揮発性メモリー２８とＲＯＭ２９と
を備えた記憶部３０が接続されている。また、表示部８や、スイッチ９ａ、９ｂ、９ｃ、
９ｄ、印刷ヘッド１７、およびキャリッジ駆動機構２０は、制御部２７に接続されている
。これにより、制御部２７からの制御信号によって表示部８、印刷ヘッド１７を駆動する
ことが可能であり、また、キャリッジ駆動機構２０を介してキャリッジ１８の動作を制御
することが可能である。さらに、ユーザーがスイッチ９ａ、９ｂ、９ｃ、９ｄを操作して
制御部２７に入力信号を入力し、これにより、表示部８、印刷ヘッド１７およびキャリッ
ジ１８の動作を制御することが可能である。
【００３３】
また、記憶部３０のＲＯＭ２９には、図６に示すようなデータテーブルＤ１が格納され
ている。データテーブルＤ１は、印刷動作に関連する設定項目を、当該設定項目において
取り得る設定値の候補とともに記憶したものであり、図中に示すように、設定項目番号（
設定項目Ｎｏ．）Ｄ１１ごとに、設定項目の名称（項目名［文字列］）Ｄ１２と、各設定
項目に対応する設定値の候補（値［文字列］）Ｄ１３とを配列した構成となっている。た
とえば、データテーブルＤ１の先頭行には、設定項目番号Ｄ１１として「００ｈ」が、設
定項目の名称Ｄ１２として「Ｐａｇｅ  ｌｅｎｇｔｈ  ｆｏｒ  ｔｒａｃｔｏｒ」が格納
される。また、この先頭行においては、設定値の候補Ｄ１３として、各候補値の値が「３
ｉｎｃｈ  ４ｉｎｃｈ  ５ｉｎｃｈ  ７ｉｎｃｈ  ・・・」のように文字列として格納さ
れる。なお、図６中においては、説明の便宜上、各候補値に対して番号をつけ「０：３ｉ
ｎｃｈ  １：４ｉｎｃｈ  ２：５ｉｎｃｈ  ３：７ｉｎｃｈ  ・・・」のように表す。  
【００３４】
また、記憶部３０の不揮発性メモリー２８には、図７に示すようにデータテーブルＤ２
が記憶される。データテーブルＤ２は、各アドレスＤ２１に対して、それぞれ設定値Ｄ２
２が記憶された構成となっている。ここで設定値Ｄ２２は、対応する設定値の候補Ｄ１３
（図６参照）において各候補値に付された順番（図６参照）のいずれか一つに対応する値
とされている。
【００３５】
すなわち、各アドレスＤ２１に格納された設定値Ｄ２２により、そのアドレスＤ２１に
対応する設定項目番号Ｄ１１における設定値の候補Ｄ１３の中から、実際の設定値として
選択される選択値を番号により特定できるようになっている。たとえば、データテーブル
Ｄ２のアドレスＤ２１「００ｈ」に対応する設定値Ｄ２２として「２」が設定されている
ということは、アドレス「００ｈ」に対応した設定項目「Ｐａｇｅ  ｌｅｎｇｔｈ  ｆｏ
ｒ  ｔｒａｃｔｏｒ」について、番号「２」の設定値「５ｉｎｃｈ」が選択されているこ
とを意味する。
【００３６】
次に、図８および図９を参照して、プリンター１における印刷設定の動作を説明する。
図８はプリンター１における印刷設定の動作の概略を示すフローチャートである。
まず、印刷設定の変更動作を開始する場合には、ユーザーは、図２に示した操作パネル
７のスイッチ９のうち、たとえばスイッチ９ａと９ｂとを同時に押し下げる。これにより
印刷設定の変更動作が開始される（ステップＳ１）。
【００３７】
この場合、まず制御部２７は、不揮発性メモリー２８のアドレス「００ｈ」に格納され
た設定値「２」を読み出すとともに、ＲＯＭ２９に記憶されているデータテーブルＤ１に
おいて設定項目番号Ｄ１１「００ｈ」  に対応する設定項目の名称Ｄ１２「Ｐａｇｅ  ｌ
ｅｎｇｔｈ  ｆｏｒ  ｔｒａｃｔｏｒ」と、文字列として記憶された設定値の候補Ｄ１３
「３ｉｎｃｈ  ４ｉｎｃｈ  ５ｉｎｃｈ  ７ｉｎｃｈ  ・・・」を読み出す（ステップＳ
２）。
【００３８】
次に、制御部２７は、印刷ヘッド１７を駆動して、読みだした設定項目の名称Ｄ１２と
、設定値の候補Ｄ１３を記録媒体Ｐに対して印字する（ステップＳ３）。これにより、記
録媒体Ｐ上には、図９に示すように設定項目の名称Ｄ１２「Ｐａｇｅ  ｌｅｎｇｔｈ  ｆ
ｏｒ  ｔｒａｃｔｏｒ」と、文字列として記憶された設定値の候補Ｄ１３「３ｉｎｃｈ  
４ｉｎｃｈ  ５ｉｎｃｈ  ７ｉｎｃｈ  ・・・」とが印字される。なお、図中に示すよう
に、設定項目の名称Ｄ１２と設定値の候補Ｄ１３とは、記録媒体Ｐにおいて同一行に配列
されて印字される。
【００３９】
さらに、制御部２７は、キャリッジ移動機構２０を駆動して、不揮発性メモリー２８の
アドレス「００ｈ」に格納された設定値「２」に基づき、キャリッジ１８を、印字された
設定値の候補のうち実際の設定値が印字されている部分の近傍まで移動させる（ステップ
Ｓ４）。具体的には、図９中において二点鎖線にて示すように、設定項目「Ｐａｇｅ  ｌ
ｅｎｇｔｈ  ｆｏｒ  ｔｒａｃｔｏｒ」に関して現在設定値として選択されている「５ｉ
ｎｃｈ」に対応する位置に指示部１８ａが位置するようにキャリッジ１８を移動させる（
ステップＳ４）。これにより、ユーザーは、「Ｐａｇｅ  ｌｅｎｇｔｈ  ｆｏｒ  ｔｒａ
ｃｔｏｒ」として、「５ｉｎｃｈ」が設定されていることを認識することができる。
【００４０】
次に、制御部２７は、スイッチ９ａ（Ｉｔｅｍ↓）およびスイッチ９ｃ（Ｓｅｔ）のど
ちらかがが押し下げられたか否かを判断する（ステップＳ５）。スイッチ９ｃが押し下げ
られた場合には、ステップＳ６に進み、スイッチ９ａが押し下げられた場合には、ステッ
プＳ９に進む。
【００４１】
スイッチ９ｃは、現在、記録媒体に書き出されている設定項目（たとえば「Ｐａｇｅ  
ｌｅｎｇｔｈ  ｆｏｒ  ｔｒａｃｔｏｒ」）に関して、他の設定値を選択したい場合につ
いて押し下げられる。すなわち、スイッチ９ｃを押し下げることにより、新たな設定値Ｄ
２２が「設定値」＝「設定値」＋１とされる（ステップＳ６）。具体的には、「Ｐａｇｅ
ｌｅｎｇｔｈ  ｆｏｒ  ｔｒａｃｔｏｒ」に関して、設定値Ｄ２２が「２」すなわち「
５ｉｎｃｈ」が選択されている場合、スイッチ９ｃを押し下げることにより、新たな設定
値Ｄ２２が「３」として設定される。なお、ステップＳ６において、もともと選択されて
いる設定値Ｄ２２が最大値（ＭＡＸ）である場合には、新たな設定値は「０」とされる。
【００４２】
ステップＳ６において新たに設定された設定値は、不揮発性メモリー２８のデータテー
ブルＤ２に対して新たな設定値Ｄ２２として書き込まれる（ステップＳ７）。また、制御
部２７は、新たに書き換えられた設定値Ｄ２２によって示される新たな選択値に対応する
位置に指示部１８ａが位置するようにキャリッジ１８を移動させる（ステップＳ８）。す
なわち、新たな設定値Ｄ２２が「３」とされた場合、制御部２７は、アドレス「００ｈ」
の設定値Ｄ２２として「３」を不揮発性メモリー２８に書き込むとともに、キャリッジ１
８の指示部１８ａが「７ｉｎｃｈ」を指示するようにキャリッジ１８を移動する。ステッ
プＳ８が終了した後には、再びステップＳ５に戻り、スイッチ９ａ（Ｉｔｅｍ↓）または
スイッチ９ｃ（Ｓｅｔ）が押し下げられたか否かを判断する。ここで再びスイッチ９ｃ（
Ｓｅｔ）が押し下げられた場合には、再びステップＳ６からステップＳ８までの処理が繰
り返される。こうした処理を繰り返すことにより、ユーザーは所望の設定値Ｄ２２を選択
することができる。つまり、ユーザーは、指示部１８ａが所望の設定値を指示するまでス
イッチ９ｃを連続して押し下げることにより、設定値の候補Ｄ１３の中から設定値を選択
することができる。
【００４３】
一方、ステップＳ５において、スイッチ９ａ（Ｉｔｅｍ↓）が押し下げられた場合には
、制御部２７は、その次の設定項目について、ユーザーが選択値の設定変更を行うことが
できるようにする。すなわち、ステップＳ５において、スイッチ９ａ（Ｉｔｅｍ↓）が押
し下げられた場合には、新たな設定項目番号（設定項目Ｎｏ．）Ｄ１１が、「設定項目番
号」＝「設定項目番号」+１に設定される（ステップＳ９）。たとえば、現在の設定項目
番号が「００ｈ」である場合、ステップＳ９により設定項目番号は次の「０１ｈ」に設定
される。ここで、設定項目番号が最大値（ここでは「０６ｈ」）を超えている場合には、
制御部２７は処理を終了する（ステップＳ１０  Ｙｅｓ）。
【００４４】
設定項目番号が最大値を超えていない場合（ステップＳ１０  Ｎｏ）、制御部２７は、
新たに設定された設定項目番号Ｄ１１に対応するアドレスＤ２１に書き込まれた設定値Ｄ
２２を読み出す（ステップＳ１１）。たとえば、新たに設定された設定項目番号が「０１
ｈ」である場合、制御部２７は、不揮発性メモリー２８のアドレス「０１ｈ」に格納され
た設定値「０」を読み出す。さらに、制御部２７は、ＲＯＭ２９に記憶されているデータ
テーブルＤ１において設定項目番号「０１ｈ」に対応する設定項目の名称Ｄ１２「Ａｕｔ
ｏ  ｔｅａｒｏｆｆ」と、文字列として記憶された設定値の候補Ｄ１３「Ｏｎ  Ｏｆｆ」
を読み出す。
【００４５】
次に、制御部２７は、読み出した設定項目の名称Ｄ１２と設定値の候補Ｄ１３を記録媒
体Ｐに印字する（ステップＳ１２）。これらの設定項目の名称Ｄ１２と設定値の候補Ｄ１
３は、ステップＳ３の場合と同様、記録媒体の同一行内に印字される。具体的には、図１
０に示すように、ステップＳ３において印字された設定項目の名称Ｄ１２「Ｐａｇｅ  ｌ
ｅｎｇｔｈ  ｆｏｒ  ｔｒａｃｔｏｒ」と設定値の候補Ｄ１３「３ｉｎｃｈ  ４ｉｎｃｈ
５ｉｎｃｈ  ７ｉｎｃｈ  ・・・」の次の行に、ステップＳ１１において読み出された
設定項目の名称Ｄ１２「Ａｕｔｏ  ｔｅａｒｏｆｆ」と、設定値の候補Ｄ１３「Ｏｎ  Ｏ
ｆｆ」とが印字される。
【００４６】
さらに、制御部２７は、キャリッジ移動機構２０を駆動して、不揮発性メモリー２８の
アドレス「０１ｈ」に格納された設定値「１」に基づき、キャリッジ１８を移動させる（
ステップＳ１３）。具体的には、図１０中において二点鎖線にて示すように、設定項目「
Ａｕｔｏ  ｔｅａｒｏｆｆ」に関して現在設定値として選択されている「Ｏｎ」に対応す
る位置に指示部１８ａが位置するようにキャリッジ１８を移動させる。これにより、ユー
ザーは、「Ａｕｔｏ  ｔｅａｒｏｆｆ」として、「Ｏｎ」が設定されていることを認識す
ることができる。
【００４７】
ステップＳ１３の処理が終了すると、再びステップＳ５に戻り、スイッチ９ａ（Ｉｔｅ
ｍ↓）およびスイッチ９ｃ（Ｓｅｔ）のどちらかがが押し下げられたか否かを判断する。
ユーザーが選択された設定値を変更したい場合には、スイッチ９ｃを押し下げ、これによ
りステップＳ６からステップＳ８までの処理により、新たな設定値を選択することができ
る。また、ユーザーが設定値を変更せず、次の設定項目の変更に進みたい場合には、スイ
ッチ９ａを押し下げる。これにより、ステップＳ９からステップＳ１３までの処理により
、ユーザーは、他の設定項目について設定値を変更・確認することが可能となる。
【００４８】
以上説明したように、本実施の形態においては、記憶部３０に対して、印刷動作に関連
する設定項目の名称Ｄ１２が、当該設定項目において取り得る設定値の候補Ｄ１３ととも
に記憶されるとともに、設定値の候補Ｄ１３の中から選択される設定値が、設定値Ｄ２２
として各設定項目に関連付けて記憶されている。そして制御部２７が、印刷ヘッド１７を
制御して、設定項目の名称Ｄ１２と設定値の候補Ｄ１３を記録媒体Ｐに対してキャリッジ
１８の移動方向に配列して印字し、かつ、キャリッジ１８を、印字した設定値の候補Ｄ１
３のうち設定値Ｄ２２に対応した選択値を指示するように移動するようになっている。こ
のような構成により、ユーザーは、印刷動作に関する設定項目に対する設定値の候補Ｄ１
３の中から、実際に設定されている値をキャリッジ１８の位置を確認して容易に知ること
ができる。この場合、設定値の候補がキャリッジ１８の移動方向、つまり記録媒体の幅方
向に配列されて印字されることから、従来と比較して、印刷設定を確認するにあたっての
用紙やインクの無駄を最小限とすることができる。また、印刷設定を確認するにあたって
、ＬＥＤによる点滅パターンによりユーザーに設定を確認させたり、表示装置により印刷
設定を表示したりする場合に比較して、部品のコストや製造コスト、あるいはランニング
コストを削減することが可能となる。
【００４９】
さらに、本実施の形態のプリンター１においては、キャリッジ１８に、設定値の候補の
うち選択値を指し示すための指示部１８ａが設けられているので、既存のプリンターの構
成を利用して、ユーザーに設定値を容易に確認させることが可能となる。
【００５０】
本実施の形態のプリンター１は、制御部２７に接続されるとともに、ユーザーによる入
力を受付可能なスイッチ９ａ、９ｃを備えており、制御部２７は、スイッチ９ｃからの出
力信号に応じて、キャリッジ１８を、記録媒体に印字された設定値の候補Ｄ１３のうちの
他の一つに移動するとともに、移動した位置に対応する設定値Ｄ１３を不揮発性メモリー
２８に記憶するようになっている。このような構成により、ユーザーがスイッチ９ｃを連
続して押し下げることにより、印字された設定値の候補を見ながらキャリッジ１８を移動
させ、移動位置に対応する設定値の候補を設定値Ｄ１３として記憶させることができる。
したがって、従来と異なり、設定ボタンを押すたびに変更した設定内容を逐次印刷する必
要がなくなり、プリンター１の印刷動作の設定変更時の用紙やインクの無駄を最小限とす
ることができる。
【００５１】
また、プリンター１においては、記憶部３０に、複数の設定項目の名称Ｄ１２が記憶さ
れ、制御部２７は、スイッチ９ａからの出力信号に応じて、記録媒体に複数の設定項目Ｄ
１２と各設定項目に対応する設定値の候補Ｄ１３を順次印刷するようになっている。この
場合、ユーザーが順次スイッチ９ａを押し下げていくことにより、複数の設定項目につい
て順次、設定値の確認や記憶を容易に行うことが可能となる。
【００５２】
また、プリンター１においては、設定項目の名称Ｄ１２と設定値の候補Ｄ１３とは、記
録媒体の同一行内に印字されるため、印刷動作の設定確認を行う際の用紙の無駄を最小限
とすることができ、ランニングコストを低下させることが可能となる。
【００５３】
以上において本発明の一実施の形態を説明したが、本発明は上記実施の形態に限定され
るものでなく、その趣旨を逸脱しない範囲内で、他の構成を採用することができる。たと
えば、上記実施の形態においては、プリンター１は、印刷ヘッド１７がシリアル・インパ
クト・ドット・マトリクス・プリントヘッドとされた構成となっていたが、これに限らず
、プリンター１は、キャリッジ機構を備えるシリアルプリンターであればよい。したがっ
て、たとえば印刷ヘッド１７がインクジェットヘッドにより形成されていてもよい。
また、この他にも、本発明の趣旨を逸脱しない範囲内で、他の構成を採用するようにし
てもよく、また、それらの構成を適宜選択的に組み合わせてよいのは言うまでもない。
【符号の説明】
【００５４】
１…プリンター、７…操作パネル、９ａ，９ｂ，９ｃ，９ｄ…スイッチ、１７…印刷ヘ
ッド、１８…キャリッジ、１８ａ…指示部、２１…第１搬送路、２２…第２搬送路、２３
…第３搬送路、３０…記憶部、Ｄ１…データテーブル、Ｄ１１…設定項目番号、Ｄ１２…
設定項目の名称、Ｄ１３…設定値の候補、Ｄ２…データテーブル、Ｄ２１…アドレ
ス、Ｄ２２…設定値
【図１】
2014061644.tif 000003
【図２】
2014061644.tif 000004
【図３】
2014061644.tif 000005
【図４】
2014061644.tif 000006
【図５】
2014061644.tif 000007
【図６】
2014061644.tif 000008
【図７】
2014061644.tif 000009
【図８】
2014061644.tif 000010
【図９】
2014061644.tif 000011
【図１０】
2014061644.tif 000012